(57)【要約】      （修正有）【課題】支柱および上下胴縁用カバー材の交換が容易に行え、鋼製フェンスと同等の強度を有する、間伐材を利用したフェンスを提供する。【解決手段】支柱１と、支柱１間に固定された上胴縁６および下胴縁１０と、格子状金網１４とからなり、支柱１は、Ｖ形鋼２と、Ｖ形鋼２が嵌め込まれるＶ字状溝が形成された、Ｖ形鋼２に対してボルトにより着脱可能な支柱用カバー材３からなり、上胴縁６は、Ｌ形鋼７と、Ｌ形鋼７が嵌め込まれる角状溝が下部に形成された、Ｌ形鋼７に対してボルト９により着脱可能な上胴縁用カバー材８からなり、下胴縁１０は、Ｌ形鋼１１と、Ｌ形鋼１１が嵌め込まれる角状溝が上部に形成された、Ｌ形鋼１１に対してボルトにより着脱可能な下胴縁用カバー材１２からなり、支柱用カバー材３、上胴縁用カバー材８および下胴縁用カバー材１２は、間伐材からなり、フェンスを正面から見て、これらカバー材により覆われて見えない。【選択図】図２
2014043705.tif 000002
【特許請求の範囲】
【請求項１】
支柱と、前記支柱間に固定された上胴縁および下胴縁と、前記上胴縁と前記下胴縁の間に取り付けられた金網とからなり、前記支柱は、Ｖ形鋼と、前記Ｖ形鋼が嵌め込まれるＶ字状溝が形成された、前記Ｖ形鋼に対してボルトにより着脱可能な支柱用カバー材からなり、前記上胴縁は、Ｌ形鋼と、前記Ｌ形鋼が嵌め込まれる角状溝が下部に形成された、前記Ｌ形鋼に対してボルトにより着脱可能な上胴縁用カバー材からなり、前記下胴縁は、Ｌ形鋼と、前記Ｌ形鋼が嵌め込まれる角状溝が上部に形成された、前記Ｌ形鋼に対してボルトにより着脱可能な下胴縁用カバー材からなり、前記支柱用カバー材、前記上胴縁用カバー材および前記下胴縁用カバー材は、何れも、間伐材からなり、フェンスを正面から見たときに、前記Ｖ形鋼および前記Ｌ形鋼は、前記支柱用カバー材、前記上胴縁用カバー材および前記下胴縁用カバー材により覆われて見えないことを特徴とする、間伐材を利用したフェンス。
【請求項２】
前記金網は、格子状金網からなっていることを特徴とする、請求項１に記載の、間伐材を利用したフェンス。
【請求項３】
前記金網は、菱形金網からなっていることを特徴とする、請求項１に記載の、間伐材を利用したフェンス。
【発明の詳細な説明】
【技術分野】
【０００１】
この発明は、間伐材を利用したフェンス、特に、間伐材の有効利用が図れると共に、景観に優れ、しかも、間伐材からなる、支柱および上下胴縁用カバー材の交換が容易に行え、さらに、鋼製フェンスと同等の強度を有する、間伐材を利用したフェンスに関するものである。
【背景技術】
【０００２】
間伐材を利用したフェンスの一例が特許文献１に開示されている。以下、このフェンスを従来フェンスといい、図面を参照しながら説明する。
【０００３】
図９は、従来フェンスを示す斜視図、図１０は、スリットが形成された横桟を示す斜視図、図１１は、ワイヤに嵌め込まれた横桟を示す斜視図である。
【０００４】
図９において、２１は、支柱、２２は、支柱２１間に上下多段に張り渡されたワイヤ、２３は、ワイヤ２２が嵌め込まれた横桟である。横桟２３は、杉等の間伐材からなり、図１０に示すように、その長手方向全長に亘ってスリット２３ａが形成され、図１１に示すように、スリット２３ａ内にワイヤ２２が嵌め込まれている。
【先行技術文献】
【特許文献】
【０００５】
【特許文献１】特開２００４−３００７４２号公報
【発明の概要】
【発明が解決しようとする課題】
【０００６】
従来フェンスによれば、間伐材の有効利用を図ることはできるが、以下のような問題があった。
【０００７】
（ａ）横桟２３は、そのスリット２３ａ内にワイヤ２２を嵌め込むことによって取り付けられるので、横桟２３がワイヤ２２から脱落するおそれがある。従って、脱落防止を図るために、横桟２３のスリット２３ａ内に詰め物を入れる等の脱落防止手段を講じる必要があるが、これに時間と手間を要する。
【０００８】
（ｂ）腐食等による横桟２３の交換に際しては、再度、脱落防止手段を講じる必要があるので、横桟２３の交換に時間と手間を要する。
【０００９】
（ｃ）支柱２１は、間伐材ではなく、しかも、横桟２３の端部と支柱２１との間には、隙間が形成されるので、景観が悪い。
【００１０】
従って、この発明の目的は、間伐材の有効利用が図れると共に、景観に優れ、しかも、間伐材からなる、支柱および上下胴縁用カバー材の交換が容易に行え、さらに、鋼製フェンスと同等の強度を有する、間伐材を利用したフェンスを提供することにある。
【課題を解決するための手段】
【００１１】
この発明は、上記目的を達成するためになされたものであり、下記を特徴とするものである。
【００１２】
請求項１に記載の発明は、支柱と、前記支柱間に固定された上胴縁および下胴縁と、前記上胴縁と前記下胴縁の間に取り付けられた金網とからなり、前記支柱は、Ｖ形鋼と、前記Ｖ形鋼が嵌め込まれるＶ字状溝が形成された、前記Ｖ形鋼に対してボルトにより着脱可能な支柱用カバー材からなり、前記上胴縁は、Ｌ形鋼と、前記Ｌ形鋼が嵌め込まれる角状溝が下部に形成された、前記Ｌ形鋼に対してボルトにより着脱可能な上胴縁用カバー材からなり、前記下胴縁は、Ｌ形鋼と、前記Ｌ形鋼が嵌め込まれる角状溝が上部に形成された、前記Ｌ形鋼に対してボルトにより着脱可能な下胴縁用カバー材からなり、前記支柱用カバー材、前記上胴縁用カバー材および前記下胴縁用カバー材は、何れも、間伐材からなり、フェンスを正面から見たときに、前記Ｖ形鋼および前記Ｌ形鋼は、前記支柱用カバー材、前記上胴縁用カバー材および前記下胴縁用カバー材により覆われて見えないことに特徴を有するものである。
【００１３】
請求項２に記載の発明は、請求項１に記載の発明において、前記金網は、格子状金網からなっていることに特徴を有するものである。
【００１４】
請求項３に記載の発明は、請求項１に記載の発明において、前記金網は、菱形金網からなっていることに特徴を有するものである。
【発明の効果】
【００１５】
この発明によれば、以下のような効果がもたらされる。
【００１６】
（１）支柱を構成するＶ形鋼の正面側を支柱用カバー材で覆い、上下胴縁を構成するＬ形鋼の正面側を間伐材からなる上下胴縁用カバー材により覆うことによって、間伐材の有効利用が図れる。
【００１７】
（２）フェンスを正面から見たときに、支柱用カバー材および上下胴縁用カバー材によってＶ形鋼およびＬ形鋼は見えないので、優れた景観が得られる。
【００１８】
（３）Ｖ形鋼に対して支柱用カバー材をボルトにより着脱可能に取り付け、Ｌ形鋼に対して上下胴縁用カバー材をボルトにより着脱可能に取り付けることによって、腐食等による支柱用カバー材および上下胴縁用カバー材の交換が容易に行える。
【００１９】
（４）Ｖ形鋼からなる支柱間にＬ形鋼からなる上下胴縁が取り付けられている構造になっているので、鋼製フェンスと同等の強度を有する。
【図面の簡単な説明】
【００２０】
【図１】この発明の、間伐材を利用したフェンスを示す正面図である。
【図２】この発明の、間伐材を利用したフェンスを示す背面図である。
【図３】この発明の、間伐材を利用したフェンスを示す平面図である。
【図４】図２のＡ−Ａ線断面図である。
【図５】図２のＢ部拡大図である。
【図６】図４のＣ部拡大図である。
【図７】図４のＤ部拡大図である。
【図８】図５のＥ−Ｅ線断面図である。
【図９】従来フェンスを示す斜視図である。
【図１０】スリットが形成された横桟を示す斜視図である。
【図１１】ワイヤが嵌め込まれた横桟を示す斜視図である。
【発明を実施するための形態】
【００２１】
この発明の、間伐材を利用したフェンスの一実施態様を、図面を参照しながら説明する。
【００２２】
図１は、この発明の、間伐材を利用したフェンスを示す正面図、図２は、この発明の、間伐材を利用したフェンスを示す背面図、図３は、この発明の、間伐材を利用したフェンスを示す平面図、図４は、図２のＡ−Ａ線断面図、図５は、図２のＢ部拡大図、図６は、  図４のＣ部拡大図、図７は、図４のＤ部拡大図、図８は、図５のＥ−Ｅ線断面図である。
【００２３】
図１から図８において、１は、支柱である。図８に示すように、支柱１は、フランジ２ａが形成されたＶ形鋼２と支柱用カバー材３とからなっている。支柱用カバー材３は、杉や松等の間伐材を円柱状に削ったものからなり、その長手方向には、Ｖ形鋼２が嵌め込まれるＶ字状溝３ａが形成されている。図８に示すように、Ｖ形鋼２は、支柱用カバー材３のＶ字状溝３ａ内に嵌め込まれ、化粧板４を介してボルト５により支柱用カバー材３に容易に着脱可能に固定される。
【００２４】
６は、支柱１の上部間に固定された上胴縁である。図６に示すように、上胴縁６は、Ｌ形鋼７と上胴縁用カバー材８とからなっている。上胴縁用カバー材８は、杉や松等の間伐材を円柱状に削ったものからなっている。上胴縁用カバー材８の下部には、上胴縁用カバー材８の長手方向に亘って角状溝８ａが形成されている。図６に示すように、Ｌ形鋼７は、角状溝８ａ内に嵌め込まれ、ボルト９により上胴縁用カバー材８に容易に着脱可能に固定される。
【００２５】
１０は、支柱１の下部間に固定された下胴縁である。図７に示すように、下胴縁１０は、Ｌ形鋼１１と下胴縁用カバー材１２とからなっている。下胴縁用カバー材１２は、杉や松等の間伐材を円柱状に削ったものからなっている。下胴縁用カバー材１２の上部には、下胴縁用カバー材１２の長手方向に亘って角状溝１２ａが形成されている。図７に示すように、Ｌ形鋼１１は、角状溝１２ａ内に嵌め込まれ、ボルト１３により下胴縁用カバー材１２に容易に着脱可能に固定される。
【００２６】
１４は、上胴縁６と下胴縁１０の間に取り付けられた格子状金網である。格子状金網１４の代わりに菱形金網を用いても良い。
【００２７】
この発明の、間伐材を利用したフェンスを組み立てるには、以下のようにする。
【００２８】
先ず、支柱用カバー材３のＶ字状溝３ａ内にＶ形鋼２を嵌め込んだ支柱１を立設する。
【００２９】
次いで、図６に示すように、上胴縁用カバー材８の角状溝８ａ内にＬ形鋼７を嵌め込んだ上胴縁６の端部に、連結用Ｌ形鋼１５をボルト９により固定して、Ｌ形鋼７と上胴縁用カバー材８と連結用Ｌ形鋼１５とを一体化する。次いで、連結用Ｌ形鋼１５をボルト１６により支柱１に固定して、上胴縁６を支柱１の上部に固定する。
【００３０】
次いで、図７に示すように、下胴縁用カバー材１２の角状溝１２ａ内にＬ形鋼１１を嵌め込んだ下胴縁１０の端部に、連結用Ｌ形鋼１７をボルト１３により固定して、Ｌ形鋼１１と下胴縁用カバー材１２と連結用Ｌ形鋼１７とを一体化する。次いで、連結用Ｌ形鋼１７をボルト１８により支柱１に固定して、下胴縁１０を支柱１の下部に固定する。なお、上胴縁６と下胴縁１０の組立順序は、逆であっても良い。
【００３１】
このようにして、支柱１に上下胴縁６、１０を取り付けたら、上下胴縁６、１０間に格子状金網１４を留め金具１９によって固定し（図５参照）、図５から図７に示すように、格子状金網１４の端部を支柱１と化粧板４との間に挟み、ボルト５により固定すれば、フェンスを組み立てることができる。
【００３２】
以上説明したように、この発明によれば、支柱１を構成するＶ形鋼２の正面側を支柱用カバー材３で覆い、上下胴縁６、１０を構成するＬ形鋼１１の正面側を間伐材からなる上下胴縁用カバー材８、１２により覆うことによって、間伐材の有効利用が図れる。また、フェンスを正面から見たときに、支柱用カバー材３および上下胴縁用カバー材８、１２によってＶ形鋼２およびＬ形鋼７、１１は見えないので、優れた景観が得られる。さらに、Ｖ形鋼２に対して支柱用カバー材３をボルトにより着脱可能に取り付け、Ｌ形鋼７、１１に対して上下胴縁用カバー材８、１２をボルト９、１３により着脱可能に取り付けることによって、腐食等による支柱用カバー材３および上下胴縁用カバー材８、１２の交換が容易に行える。しかも、Ｖ形鋼２からなる支柱１間にＬ形鋼７、１１からなる上下胴縁６、１０が取り付けられている構造になっているので、鋼製フェンスと同等の強度を有する。
【符号の説明】
【００３３】
１：支柱
２：Ｖ形鋼
２ａ：フランジ
３：支柱用カバー材
３ａ：Ｖ字状溝
４：化粧板
５：ボルト
６：上胴縁
７：Ｌ形鋼
８：上胴縁用カバー材
８ａ：角状溝
９：ボルト
１０：下胴縁
１１：Ｌ形鋼
１２：下胴縁用カバー材
１２ａ：角状溝
１３：ボルト
１４：格子状金網
１５：連結用Ｌ形鋼
１６：ボルト
１７：連結用Ｌ形鋼
１８：ボルト
１９：留め金具
２１：支柱
２２：ワイヤ
２３：横桟
２３ａ：スリット
【図１】
2014043705.tif 000003
【図２】
2014043705.tif 000004
【図３】
2014043705.tif 000005
【図４】
2014043705.tif 000006
【図５】
2014043705.tif 000007
【図６】
2014043705.tif 000008
【図７】
2014043705.tif 000009
【図８】
2014043705.tif 000010
【図９】
2014043705.tif 000011
【図１０】
2014043705.tif 000012
【図１１】
2014043705.tif 000013